【手続補正書】
【提出日】平成21年1月22日(2009.1.22)
【手続補正１】
【補正対象書類名】特許請求の範囲
【補正対象項目名】全文
【補正方法】変更
【補正の内容】
【特許請求の範囲】
【請求項１】
複数の画素を有する表示パネルと、
外部システムから入力される表示データに基づいて前記各画素の階調に対応する階調電圧を生成し、前記表示パネルの前記各画素へ出力する第１のドライバと、
前記階調電圧を供給すべき画素を選択する第２のドライバとを有し、
前記第１のドライバは、１フレーム期間に表示する１画面分の表示データの階調に基づいて第１の階調電圧を生成する第１の階調電圧生成回路、および第２の階調電圧を生成する第２の階調電圧生成回路を有し、
前記第２のドライバは、前記１フレーム期間に２回、前記各画素を走査し、
前記表示パネルの前記各画素は、前記１フレーム期間に、前記第１の階調電圧による階調の表示と、前記第２の階調電圧による階調の表示を行うことで前記外部システムから入力される表示データにおける各画素の階調を表示する表示装置であって、
前記第１の階調電圧生成回路および前記第２の階調電圧生成回路は、それぞれ、複数個の抵抗を直列に接続した抵抗分圧回路を有し、
前記第１の階調電圧生成回路の抵抗分圧回路は、中間階調の複数の階調電圧の大きさを変える複数個の抵抗値がほぼ一定の値であり、
前記第２の階調電圧生成回路の抵抗分圧回路は、前記第１の階調電圧生成回路の抵抗分圧回路の前記複数個の抵抗値がほぼ一定の階調領域において、前記第１の階調電圧生成回路の抵抗分圧回路の抵抗値よりも低い抵抗値から高い抵抗値に変化することを特徴とする表示装置。
【請求項２】
前記第１の階調電圧生成回路および前記第２の階調電圧生成回路は、それぞれ、正極性の階調電圧を生成する抵抗分圧回路と負極性の階調電圧を生成する抵抗分圧回路とを有することを特徴とする請求項１に記載の表示装置。
【請求項３】
複数の映像信号線、複数の走査信号線、および前記映像信号線と前記走査信号線によって定義される複数の画素領域を有する表示パネルと、
前記映像信号線に映像信号を供給する第１のドライバ回路と、
前記走査信号線に、前記映像信号を書き込むべき画素を選択する走査信号を供給する第２のドライバ回路とを備え、
１フレーム分の標準画像を第１のフレームと第２のフレームとに時間的に分け、前記第１のドライバ回路を介して前記表示パネルに供給する表示装置であって、
前記第１のドライバ回路は、前記第１のフレーム用の第１の階調電圧生成回路と、前記第２のフレーム用の第２の階調電圧生成回路とを備えることを特徴とする表示装置。
【請求項４】
前記第１の階調電圧生成回路と前記第２の階調電圧生成回路の各抵抗の値は、低階調領域において、前記第１の階調電圧生成回路の抵抗値が前記第２の階調電圧生成回路の抵抗値よりも高く、高階調領域において、前記第２の階調電圧生成回路の抵抗値が前記第１の階調電圧生成回路の抵抗値よりも高いことを特徴とする請求項３に記載の表示装置。
【請求項５】
前記第１のドライバ回路は、０階調から２５５階調までの２５６通りの階調の出力を行う回路であり、
前記低階調領域は、０階調から１２７階調までの範囲であることを特徴とする請求項４に記載の表示装置。
【請求項６】
前記第１の階調電圧生成回路は、低階調領域、中間階調領域、および高階調領域の３つの領域に分けて、出力される輝度の特性が調整され、
前記第２の階調電圧生成回路は、低階調領域、高階調領域の２つの領域に分けて、出力される輝度の特性が調整されることを特徴とする請求項３に記載の表示装置。
【請求項７】
前記第１のドライバ回路は、０階調から２５５階調までの２５６通りの階調の出力を行う回路であり、
前記第１の階調電圧生成回路において、前記低階調領域は０階調から６３階調までの範囲であり、前記中間階調領域は６４階調から１９１階調までの範囲であり、前記高階調領域は１９２階調から２５５階調までの範囲であることを特徴とする請求項６に記載の表示装置。
【請求項８】
前記第１のドライバ回路は、０階調から２５５階調までの２５６通りの階調の出力を行う回路であり、
前記第２の階調電圧生成回路において、前記低階調領域は０階調から１２７階調までの範囲であり、前記高階調領域は１２８階調から２５５階調までの範囲であることを特徴とする請求項６に記載の表示装置。
【手続補正２】
【補正対象書類名】明細書
【補正対象項目名】００１２
【補正方法】削除
【補正の内容】
【手続補正３】
【補正対象書類名】明細書
【補正対象項目名】００１４
【補正方法】変更
【補正の内容】
【００１４】
（１）複数の画素を有する表示パネルと、外部システムから入力される表示データに基づいて前記各画素の階調に対応する階調電圧を生成し、前記表示パネルの前記各画素へ出力する第１のドライバと、前記階調電圧を供給すべき画素を選択する第２のドライバとを有し、前記第１のドライバは、１フレーム期間に表示する１画面分の表示データの階調に基づいて第１の階調電圧を生成する第１の階調電圧生成回路、および第２の階調電圧を生成する第２の階調電圧生成回路を有し、前記第２のドライバは、前記１フレーム期間に２回、前記各画素を走査し、前記表示パネルの前記各画素は、前記１フレーム期間に、前記第１の階調電圧による階調の表示と、前記第２の階調電圧による階調の表示を行うことで前記外部システムから入力される表示データにおける各画素の階調を表示する表示装置であって、前記第１の階調電圧生成回路および前記第２の階調電圧生成回路は、それぞれ、複数個の抵抗を直列に接続した抵抗分圧回路を有し、前記第１の階調電圧生成回路の抵抗分圧回路は、中間階調の複数の階調電圧の大きさを変える複数個の抵抗値がほぼ一定の値であり、前記第２の階調電圧生成回路の抵抗分圧回路は、前記第１の階調電圧生成回路の抵抗分圧回路の前記複数個の抵抗値がほぼ一定の階調領域において、前記第１の階調電圧生成回路の抵抗分圧回路の抵抗値よりも低い抵抗値から高い抵抗値に変化する表示装置。
（２）前記（１）の表示装置において、前記第１の階調電圧生成回路および前記第２の階調電圧生成回路は、それぞれ、正極性の階調電圧を生成する抵抗分圧回路と負極性の階調電圧を生成する抵抗分圧回路とを有する表示装置。
【手続補正４】
【補正対象書類名】明細書
【補正対象項目名】００１５
【補正方法】変更
【補正の内容】
【００１５】
（３）複数の映像信号線、複数の走査信号線、および前記映像信号線と前記走査信号線によって定義される複数の画素領域を有する表示パネルと、前記映像信号線に映像信号を供給する第１のドライバ回路と、前記走査信号線に、前記映像信号を書き込むべき画素を選択する走査信号を供給する第２のドライバ回路とを備え、１フレーム分の標準画像を第１のフレームと第２のフレームとに時間的に分け、前記第１のドライバ回路を介して前記表示パネルに供給する表示装置であって、前記第１のドライバ回路は、前記第１のフレーム用の第１の階調電圧生成回路と、前記第２のフレーム用の第２の階調電圧生成回路とを備える表示装置。
（４）前記（３）の表示装置において、前記第１の階調電圧生成回路と前記第２の階調電圧生成回路の各抵抗の値は、低階調領域において、前記第１の階調電圧生成回路の抵抗値が前記第２の階調電圧生成回路の抵抗値よりも高く、高階調領域において、前記第２の階調電圧生成回路の抵抗値が前記第１の階調電圧生成回路の抵抗値よりも高い表示装置。
（５）前記（４）の表示装置において、前記第１のドライバ回路は、０階調から２５５階調までの２５６通りの階調の出力を行う回路であり、前記低階調領域は、０階調から１２７階調までの範囲である表示装置。
（６）前記（３）の表示装置において、前記第１の階調電圧生成回路は、低階調領域、中間階調領域、および高階調領域の３つの領域に分けて、出力される輝度の特性が調整され、前記第２の階調電圧生成回路は、低階調領域、高階調領域の２つの領域に分けて、出力される輝度の特性が調整される表示装置。
（７）前記（６）の表示装置において、前記第１のドライバ回路は、０階調から２５５階調までの２５６通りの階調の出力を行う回路であり、前記第１の階調電圧生成回路において、前記低階調領域は０階調から６３階調までの範囲であり、前記中間階調領域は６４階調から１９１階調までの範囲であり、前記高階調領域は１９２階調から２５５階調までの範囲である表示装置。
（８）前記（６）の表示装置において、前記第１のドライバ回路は、０階調から２５５階調までの２５６通りの階調の出力を行う回路であり、前記第２の階調電圧生成回路において、前記低階調領域は０階調から１２７階調までの範囲であり、前記高階調領域は１２８階調から２５５階調までの範囲である表示装置。
【手続補正５】
【補正対象書類名】明細書
【補正対象項目名】００５７
【補正方法】変更
【補正の内容】
【００５７】
図４に示した第１のフィールド期間ＦＬＤ１に対する輝度曲線ＢＤ１'（太い実線）は、たとえば、以下のような方法で生成する。まず、輝度曲線ＢＤ１'における最小階調（０階調）から６３階調までの範囲ＴＲ１１の各階調の相対輝度ＢＲは、たとえば、図２に示した第２のフィールド期間ＦＬＤ２（暗フィールド）に対する輝度曲線ＢＤ２の０階調の相対輝度（０）と、第１のフィールド期間ＦＬＤ１（明フィールド）に対する輝度曲線ＢＤ１の０階調から６３階調までの各階調における相対輝度を合成して生成する。このようにすると、輝度曲線ＢＤ１'の範囲ＴＲ１１は、従来の表示装置における輝度曲線ＢＴよりも輝度の変化率が大きく、かつ、輝度が高くなるにつれて両者の差が大きくなる。
【手続補正６】
【補正対象書類名】明細書
【補正対象項目名】００６０
【補正方法】変更
【補正の内容】
【００６０】
一方、図４に示した第２のフィールド期間ＦＬＤ２に対する輝度曲線ＢＤ２'は、たとえば、以下のような方法で生成する。まず、輝度曲線ＢＤ２'における最小階調（０階調）から１２７階調までの範囲ＴＲ２１の各階調の相対輝度ＢＲは、たとえば、０階調の相対輝度を０とし、範囲ＴＲ２１における最大階調（１２７階調）の相対輝度が約０．０５になるように徐々に輝度を高くする。
【手続補正７】
【補正対象書類名】明細書
【補正対象項目名】００６１
【補正方法】変更
【補正の内容】
【００６１】
また、輝度曲線ＢＤ２'における１２８階調から２５５階調までの範囲ＴＲ２２の各階調の相対輝度ＢＲは、たとえば、図２に示した第１のフィールド期間ＦＬＤ１（明フィールド）に対する輝度曲線ＢＤ１の２５５階調の相対輝度（１）と、第２のフィールド期間ＦＬＤ２（暗フィールド）に対する輝度曲線ＢＤ２の１２８階調から２５５階調までの各階調における相対輝度を合成して生成する。
【手続補正８】
【補正対象書類名】明細書
【補正対象項目名】００６３
【補正方法】変更
【補正の内容】
【００６３】
なお、図４に示した例では、高階調側に、第１のフィールド期間ＦＬＤ１に対する輝度曲線ＢＤ１'および第２のフィールド期間ＦＬＤ２に対する輝度曲線ＢＤ２'の両方の動的輝度が、外部システムから入力される表示データの輝度曲線ＢＴにおける表示輝度よりも低くなっている領域がある。しかしながら、第１のフィールド期間ＦＬＤ１における動的輝度と第２のフィールド期間ＦＬＤ２における動的輝度の平均値が、外部システムから入力される表示データの輝度曲線ＢＴにおける表示輝度とほぼ一致していれば、動画ぼやけを低減できる。
【手続補正９】
【補正対象書類名】明細書
【補正対象項目名】００６４
【補正方法】変更
【補正の内容】
【００６４】
またさらに、図４に示した例では、高階調側に、第１のフィールド期間ＦＬＤ１に対する輝度曲線ＢＤ１'における動的輝度が、第２のフィールド期間ＦＬＤ２に対する輝度曲線ＢＤ２'における動的輝度よりも低くなっている領域がある。しかしながら、第１のフィールド期間ＦＬＤ１における動的輝度と第２のフィールド期間ＦＬＤ２における動的輝度の平均値が、外部システムから入力される表示データの輝度曲線ＢＴにおける表示輝度とほぼ一致していれば、動画ぼやけを低減できる。
【手続補正１０】
【補正対象書類名】明細書
【補正対象項目名】００６５
【補正方法】変更
【補正の内容】
【００６５】
図５は、本実施例の表示方法を実現する階調電圧生成回路の特性を説明するための模式グラフ図である。
【手続補正１１】
【補正対象書類名】明細書
【補正対象項目名】００６６
【補正方法】変更
【補正の内容】
【００６６】
図３（ａ）乃至図３（ｄ）に示したような構成の表示装置において、たとえば、図４に示した輝度曲線ＢＤ１'，ＢＤ２'にしたがうように第１のフィールド期間ＦＬＤ１における動的輝度および第２のフィールド期間ＦＬＤ２における動的輝度を生成する場合、階調電圧生成回路３０１ａ，３０１ｂ，３０１ｃ，３０１ｄの各抵抗分圧回路における抵抗値を、たとえば、図５に示すようにすればよい。なお、図５において、横軸は階調数ｍであり、縦軸は各抵抗分圧回路の抵抗Ｒｍの値である。また、図５は、各画素が２５６階調の表示に対応している場合を例に挙げており、図３（ｄ）に示した抵抗分圧回路の抵抗Ｒ１〜Ｒ２５５と対応している。
【手続補正１２】
【補正対象書類名】明細書
【補正対象項目名】００７５
【補正方法】変更
【補正の内容】
【００７５】
【図１】本発明の表示装置における表示方法の原理を説明するための模式図である。
【図２】図１に示した表示方法における第１のフィールド期間および第２のフィールド期間ならびに目視輝度の関係の一例を示す模式グラフ図である。
【図３（ａ）】本発明に関わる表示装置の概略構成の一例を示す模式ブロック図である。
【図３（ｂ）】図３（ａ）に示した表示パネルの１画素の概略構成の一例を示す模式回路図である。
【図３（ｃ）】図３（ａ）に示したデータドライバの概略構成の一例を示す模式ブロック図である。
【図３（ｄ）】図３（ｃ）に示した抵抗分圧回路の概略構成の一例を示す模式回路図である。
【図４】本発明による一実施例の表示装置の表示方法の一例を示す模式グラフ図である。
【図５】本実施例の表示方法を実現する階調電圧生成回路の特性を説明するための模式グラフ図である。
【手続補正１３】
【補正対象書類名】明細書
【補正対象項目名】００７６
【補正方法】変更
【補正の内容】
【００７６】
ＦＬＭｎ，ＦＬＭｎ＋１…１フレーム期間
ＦＬＤ１…第１のフィールド期間
ＦＬＤ２…第２のフィールド期間
１Ａ，１Ｄ…第１のフィールド期間の表示データ
１Ｂ，１Ｅ…第２のフィールド期間の表示データ
１Ｃ，１Ｆ…フレーム期間の表示データ
２…液晶表示パネル
ＤＬ，ＤＬｐ，ＤＬｐ＋１…映像信号線
ＧＬ，ＧＬｑ，ＧＬｑ＋１…走査信号線
ＰＸ…画素電極
ＬＣ…液晶材料
ＣＴ…共通電極
３…データドライバ
３０１ａ，３０１ｂ，３０１ｃ，３０１ｄ…階調電圧生成回路
３０２…階調電圧選択回路
３０３…出力バッファ回路
４…走査ドライバ
５…タイミング制御回路
６…フレームメモリ
７…基準電圧生成回路